(57)【要約】【課題】市販のラックに道具無しで取り付け、カーテンポール受けやカーテン端の引留め具、カーテン用キャリアなどとして使用するアジャスト機能を備えたカーテン付け用のアタッチメントを提供する。【解決手段】弾性変形可能な薄肉部１５に歯５を設けたソケット２と、前記歯と噛み合う歯１０を両側面に備えるプラグ３を組み合わせてアタッチメント１Ａを形成する。ソケット２とプラグ３には対向配置のフック７、９を備えさせ、そのフック７、９で棚板を上下から挟みつけてアタッチメント１Ａを棚板に取り付ける。そして、ソケット２に設けたクリップ係止具８にカーテンクリップを掛けてカーテンを吊るす。【選択図】　図７
2004081227.tif 000002
【特許請求の範囲】
【請求項１】
弾性変形させて間隔を縮める対向一対の側壁を裏側に突出させて設けた第１パーツ及びその第１パーツの外周にテーパ嵌合させる筒状の第２パーツを組み合わせて構成されるソケットと、そのソケットに着脱自在に差し込むプラグとから成り、第１パーツの下部とプラグの上部にラックの棚板を上下から挟むフックを、前記側壁の内面とプラグの両側面にプラグを挿入の各位置に固定する滑り止め手段を、第２パーツの外面にカーテンクリップ、カーテンクリップの係止部、ポール固定具を備えるポール受けのいずれかを各々有し、第２パーツで第１パーツを外側から締めつけて弾性変形した側壁でプラグを挟持するようにしたラック用アタッチメント。
【請求項２】
ソケットとそのソケットに着脱自在に差し込むプラグとから成り、ソケットとプラグがラックの棚板を上下から挟むフックを有し、さらに、プラグは、両側面に定ピッチで刻まれた歯を、ソケットは外面にカーテンクリップ、カーテンクリップの係止部、ポール固定具を備えるポール受けのいずれかを、内面にプラグの前記歯と噛合する歯を各々有し、前記プラグの歯又はソケットの歯のいずれか一方が弾性変形可能な部位に形成されているラック用アタッチメント。
【請求項３】
ソケットとプラグに縦長のキーとそのキーを挿入するキー溝を対応して設けた請求項１又は２記載のラック用アタッチメント。
【請求項４】
前記フックとして、Ｕ字フックとＬ字フックを複合化した形状のものを備えさせた請求項１乃至３のいずれかに記載のラック用アタッチメント。
【請求項５】
プラグの上部に設けるフックをＵ字フック又はＵ字フックとＬ字フックを複合化したものにし、さらに、Ｕ字フック部に、Ｕ字フックの係止相手部材上を転動する滑車を設けた請求項１乃至３のいずれかに記載のフック用アタッチメント。
【請求項６】
ソケットに対する差し込み方向とは反対向きの付勢力をプラグに加える弾性体を含ませた請求項１乃至５のいずれかに記載のラック用アタッチメント。
【発明の詳細な説明】
【０００１】
【発明の属する技術分野】
この発明は、カーテンポールの受け具、カーテン用キャリア、或いはカーテンの端留め具として組立式ラックに用いるアタッチメントに関する。
【０００２】
【従来の技術】
テレビ、オーディオ、パソコン、台所用品、小道具類、書籍、観賞用の植木鉢や水槽など、種々の物品の載置、収納をスチールラックや木製ラックを用いて行うことは一般になされている。
【０００３】
ラックには、棚板を支柱で支えるものやサイドパネルで支えるものなどがある。また、棚板は、木質系の棚板、プレス成形された金属板の棚板、金属線で形成されたメッシュの棚板などが多用されている。
【０００４】
【発明が解決しようとする課題】
ラックは上下段の棚板（ここでは天板も棚板と見なす）間が素通しになっており、棚板上の載置物が外から見える。その載置物が観賞用品であれば当然に外から見える必要があるが、観賞目的以外の物品が雑然と棚板上に載せられていると体裁が悪い。
【０００５】
このようなときに、棚板間をカーテンで覆い隠すとすっきりして感じが良い。ところが、市販のラックには、カーテンの取り付け部が設けられていない。
【０００６】
そこで、この発明は、ラック用のカーテンポール受け具、カーテン用キャリア、或いはカーテンの端留め具として利用でき、また、棚板への装着も道具無しで簡単に行えるアタッチメントを提供することを課題としている。
【０００７】
【課題を解決するための手段】
上記の課題を解決するため、この発明においては、弾性変形させて間隔を縮める対向一対の側壁を裏側に突出させて設けた第１パーツ及びその第１パーツの外周にテーパ嵌合させる筒状の第２パーツを組み合わせて構成されるソケットと、そのソケットに着脱自在に差し込むプラグとから成り、第１パーツの下部とプラグの上部にラックの棚板を上下から挟むフックを、前記側壁の内面とプラグの両側面にプラグを挿入の各位置に固定する滑り止め手段を、第２パーツの外面にカーテンクリップ、カーテンクリップの係止部、ポール固定具を備えるポール受けのいずれかを各々有し、第２パーツで第１パーツを外側から締めつけて弾性変形した側壁でプラグを挟持するようにしたラック用アタッチメントを提供する。
【０００８】
また、ソケットとそのソケットに着脱自在に差し込むプラグとから成り、ソケットとプラグがラックの棚板を上下から挟むフックを有し、さらに、プラグは、両側面に定ピッチで刻まれた歯を、ソケットは外面にカーテンクリップ、カーテンクリップの係止部、ポール固定具を備えるポール受けのいずれかを、内面にプラグの前記歯と噛合する歯を各々有し、前記プラグの歯又はソケットの歯のいずれか一方が弾性変形可能な部位に形成されているラック用アタッチメントも併せて提供する。
【０００９】
これ等のアタッチメントは、ソケットとプラグに縦長のキーとそのキーを挿入するキー溝を対応して設けると好ましい。
【００１０】
また、フックは、Ｕ字フックとＬ字フックのどちらかを単独で設けることもできるが、Ｕ字フックとＬ字フックの２者が複合化されたものが好ましい。
【００１１】
プラグの上部に設けるフックをＵ字フック又はＵ字フックとＬ字フックを複合化したものにし、さらに、Ｕ字フック部に、Ｕ字フックの係止相手部材上を転動する滑車を設けておくのも好ましい。
【００１２】
このほか、ソケットに対する差し込み方向とは反対向きの付勢力をプラグに加える弾性体を含ませるのも好ましい。
【００１３】
【作用】
この発明のアタッチメントは、ソケットにプラグを差し込み、両者に設けた対向一対のフックで棚板を上下から挟みつけて棚板に取り付ける。ソケットとプラグはフック間の距離を変えるアジャスト機能を有しており、棚板の厚み変化に対応できる。また、ソケットにはカーテンクリップやカーテンクリップの係止部やカーテンポールの受け具を設けており、従って、このアタッチメントを用いればラックにカーテンを取り付けることができる。
【００１４】
ソケットを２個のパーツで構成したものは、パーツ形状が単純化されて製造が容易になる。また、第２パーツのみの交換でアタッチメントの使用形態を変えることができ（ソケット全体の交換は不要）、経済面でも有利になる。
【００１５】
また、ソケットとプラグにキーとキー溝を対応して設けたもの及び、弾性体を設けてプラグに差し込み方向と反対向きの付勢力を加えるものは、ソケットとプラグの結合の安定性が高まる。
【００１６】
【発明の実施の形態】
図１乃至図１１に基づいてこの発明の実施形態について説明する。
【００１７】
図１乃至図３は第１実施形態を示している。このアタッチメント１は、第１パーツ２ａと第２パーツ２ｂとで構成されるソケット２と、そのソケットに差し込むプラグ３とから成り、全体が樹脂で形成されている。
【００１８】
第１パーツ２ａは、裏側に突出する対向一対の少し外側に開いた側壁４を有する。また、定ピッチで刻んだ歯５を各側壁４の内面に、縦長のキー溝６を裏面中央に、裏側に突出するフック７を下端にそれぞれ有し、両側面（側壁４の外面）は裾広がりのテーパ面となっている。
【００１９】
一方、第２パーツ２ｂは、テーパ筒状に形成されており、外面にカーテンクリップの係止部８を有する。この第２パーツ２ｂを第１パーツ２ａの外周に嵌めてソケット２を形成する。
【００２０】
プラグ３は、裏面側に突出したフック９を上端に有し、さらに、第１パーツの歯５に係止する歯１０を両側面に有する。また、キー溝６に嵌合させるキー１１を表面に有する。
【００２１】
歯５、１０は、棚板の厚みの変化に対応するためのアジャスト機能をもたせるために定ピッチで多数設けている。これ等の歯５、１０は図１のアタッチメントの場合、側壁４でプラグ３を挟持するので、摩擦力を高めるローレット目などで代替することができる。
【００２２】
なお、フック７、９は、Ｕ字フックとＬ字フックを複合化したものにして両フックの選択的使用を可能ならしめており、品種統合の効果をもたらす。
【００２３】
このように構成した図１のアタッチメント１は、第１パーツ２ａの外周に第２パーツ２ｂを緩く嵌め、この状態でパーツ２ａ、２ｂ間に形成される口にプラグ３を差し込む。
【００２４】
フック７、９による棚板の挟持がなされるところまでプラグ３を差し込んだら、第２パーツ２ｂを押し下げて第１パーツ２ａに外側から締めつけ力を働かせる。
【００２５】
側壁４は、第２パーツ２ｂを押し下げると外面のテーパの作用で締めつけられて弾性変形し、これにより側壁間が閉じて、プラグ３が側壁４間に挟み込まれ、歯５、１０が互いに噛合してプラグ３の抜けが防止される。
【００２６】
以上でアタッチメント１の取り付けが終了する。なお、第２パーツ２ｂを持ち上げると締めつけが解除されてプラグ３の抜き取りが可能になる。
【００２７】
このアタッチメントは、２種のフックを複合化したフック７、９を有するので、図２に示すメッシュの棚板Ａ、図４に示す平板の棚板Ｂのどちらにも取り付けることができる。
【００２８】
このアタッチメント１を棚板に固定し、カーテンに取り付けたクリップをクリップ係止部８に掛けると、カーテン端の留め具となる。また、フック７、９による挟持を緩くしてアタッチメント１を棚板に横方向スライド自在に取り付けるとカーテンキャリアとして使える。キャリアとして使用する場合には、図２に示すように、Ｕ字フックの部分を使用してアタッチメント１を棚板から外れ止めする。棚板にＵ字フックの係止部が無ければ、図５に示すようなレールＣを両面粘着テープ等で棚板に取り付けてそれにフック９を掛ける。下側のフック７もレール等に係止させると好ましいが、少なくとも上側のフック９をレールＣ等に係止させれば、カーテンキャリヤとして使用できる。この場合、図１０に示すように、フック９に、Ｕ字フック部の係止相手部材、例えばレールＣ上を転動する滑車１６を設けると、キャリヤの動きが円滑になって好ましい。
【００２９】
なお、フック７、９の内面にウレタンゴムなどの弾性体１２（図４参照）を貼り着けておくと、その弾性体の復元力で歯５、１０間の遊びが吸収され、アタッチメントの取り付け状態が安定する。
【００３０】
図６は、第２パーツ２ｂの外面にポール受け１３を設けた例を示している。ポール受け１３には、ポール固定具１４（図のそれは止めねじ）が含まれている。この図６の第２パーツ２ｂを用いると、カーテンポールＤを棚板の縁に取り付けることができる。カーテンポールＤにはスライド自在のリングを嵌めておき、そのリングにクリップを掛けてカーテンを吊るす。
【００３１】
図７及び図８は第２実施形態である。このアタッチメント１Ａもやはり樹脂製であり、単品の角筒状ソケット２とそれに差し込むプラグ３とから成る。プラグ３は、図１のアタッチメントのプラグと特に変わるところがない。ソケット２は、前壁と側壁を一体に形成した本体部２ｃと、その本体部に接着するなどして一体化する後壁部２ｄとから成り、後壁部２ｄの下部にフック７を設けている。また、本体部２ｃの前壁の外面にカーテンクリップの係止部８（もしくは図６で説明したポール受け１３）を設けている。このソケット２の両側壁部には弾性変形を可能ならしめた薄肉部１５を設けている。その薄肉部１５は後壁部２ｄに対して接合されておらず、厚み方向にたわむことができる。この薄肉部１５の内面に歯５を設けており、その歯５がいわゆるラッチ爪的な働きをする。
【００３２】
ソケット２にプラグ３を差し込むと薄肉部１５が弾性変形して逃げ、適正差し込み位置で歯１０と歯５が互いに噛合する。また、プラグ３に引き抜き力を加えると、薄肉部１５が弾性変形して歯１０と歯５の噛合が解け、プラグ３の抜き取りが可能になる。
【００３３】
このアタッチメント１Ａは、薄肉部１５の弾性復元力を利用してプラグ３を挟持することができ、プラグ３に付勢力を加えなくても取り付け状態を安定させることができる。
【００３４】
なお、図９に示すように、ソケット２とプラグ３を蟻溝嵌合させればフック７を本体部２ｃに設けて図７の後壁部２ｄを省くことができる。各アタッチメントのフック７、９は、Ｕ字フック、Ｌ字フックのどちらかを単独で設けてもよい。
【００３５】
また、カーテンキャリア又はカーテンの端留め具として使用するアタッチメントについては、図１１に示すように、カーテンクリップの係止部に代えてソケット２側にカーテンクリップ１７を設けてもよく、この形態のものは、カーテンクリップ１７でカーテンの上縁を直接挟んでカーテンを吊り下げることができる。
【００３６】
【発明の効果】
以上述べたように、この発明のアタッチメントは、プラグをソケットに差し込むだけでラックの棚板を上下から挟んで棚板に取付けることができ、そのアタッチメントをカーテンポールの受け具、カーテンキャリア、或いはカーテンの端留め具にしてラックにカーテンを取り付けることが可能になる。
【図面の簡単な説明】
【図１】第１実施形態のアタッチメントの分解斜視図
【図２】同上のアタッチメントの組み付け状態を示す表側の斜視図
【図３】同上のアタッチメントの横断平面図
【図４】平板の棚板への取り付け状態を示す側面図
【図５】レールの一例を示す斜視図
【図６】カーテンポール受けを設けた第２パーツの斜視図
【図７】第２実施形態のアタッチメントの分解斜視図
【図８】同上のアタッチメントのソケットの平面図
【図９】ソケットとプラグの嵌合状態の変形例を示す斜視図
【図１０】（ａ）Ｕ字フック部に滑車を設けたプラグの一例を示す斜視図
（ｂ）同上のプラグの要部の断面図
【図１１】ソケット側にカーテンクリップを設けた例を示す斜視図
【符号の説明】
１、１Ａ　アタッチメント
２　ソケット
２ａ　第１パーツ
２ｂ　第２パーツ
２ｃ　本体部
２ｄ　後壁部
３　プラグ
４　側壁
５、１０　歯
６　キー溝
７、９　フック
８　クリップ係止部
１１　キー
１２　弾性体
１３　ポール受け
１４　ポール固定具
１５　薄肉部
１６　滑車
１７　カーテンクリップ
Ａ、Ｂ　棚板
Ｃ　レール
Ｄ　カーテン
【図１】
2004081227.tif 000003
【図２】
2004081227.tif 000004
【図３】
2004081227.tif 000005
【図４】
2004081227.tif 000006
【図５】
2004081227.tif 000007
【図６】
2004081227.tif 000008
【図７】
2004081227.tif 000009
【図８】
2004081227.tif 000010
【図９】
2004081227.tif 000011
【図１０】
2004081227.tif 000012
【図１１】
2004081227.tif 000013